(57)【要約】【課題】錠付き戸棚がネットワークを通して作動する特性を活かして高効率の広告宣伝機能を発揮するロッカー管理システムを提供する。【解決手段】錠付き戸棚装置１は、それぞれが電磁錠１１を備えた少なくとも一つの錠付き戸棚１０を有する。錠管理装置２は錠付き戸棚の施錠／解錠を錠管理通信手段４経由で行う。錠付き戸棚を利用する利用者が携帯する移動体通信端末３と錠管理装置との間は利用者通信手段５で接続され得る。錠管理装置は、移動体通信端末が発令する錠付き戸棚の施錠指令または解錠指令を利用者通信手段経由で受け付ける。また、錠管理装置は、施錠指令または解錠指令を発令した移動体通信端末へ宣伝を目的とする文字，画像または音声の情報を利用者通信手段経由で送信し、該移動体通信端末が備えている表示と音声出力機能により該情報を表示または再生させるる。【選択図】　　　　図１
2004118766.tif 000002
【特許請求の範囲】
【請求項１】
それぞれが電磁錠を備えた少なくとも一つの錠付き戸棚を有する錠付き戸棚装置と、
前記錠付き戸棚の施錠／解錠を錠管理通信手段経由で行う錠管理装置と、
前記錠付き戸棚を利用する利用者が携帯する移動体通信端末と、
前記錠管理装置と前記移動体通信端末との間の利用者通信手段とで構成され、
前記錠管理装置は、前記移動体通信端末が発令する前記錠付き戸棚の施錠指令または解錠指令を前記利用者通信手段経由で受け付け、
また、前記錠管理装置は、前記施錠指令または解錠指令を発令した移動体通信端末へ宣伝を目的とする文字，画像または音声の情報を前記利用者通信手段経由で送信し、該移動体通信端末が備えている表示と音声出力機能により該情報を表示または再生させることを特徴とするロッカー管理システム。
【請求項２】
それぞれが電磁錠を備えた少なくとも一つの錠付き戸棚を有する錠付き戸棚装置と、
前記錠付き戸棚の施錠／解錠を錠管理通信手段経由で行う錠管理装置と、
前記錠付き戸棚を利用する利用者が携帯する移動体通信端末と、
前記錠付き戸棚装置と前記移動体通信端末との間の無線通信手段と、
前記錠管理装置と前記移動体通信端末との間の利用者通信手段とで構成され、
前記錠管理装置は、前記移動体通信端末が発令する前記錠付き戸棚の施錠指令または解錠指令を前記利用者通信手段経由で受け付け、
また、前記錠管理装置は、前記施錠指令または解錠指令を発令した移動体通信端末へ宣伝を目的とする文字，画像または音声の情報を前記錠管理通信手段および前記無線通信手段経由で送信し、該移動体通信端末が備えている表示と音声出力機能により該情報を表示または再生させることを特徴とするロッカー管理システム。
【請求項３】
前記錠管理装置が、前記宣伝を目的とする文字，画像または音声の情報を施錠指令または解錠指令を発令した移動体通信端末へ送信するか否かの選択を該移動体通信端末が主導して行うことを特徴とする請求項１または請求項２に記載のロッカー管理システム。
【請求項４】
前記錠管理装置は前記移動体通信端末から問合せがあると、該問合せに対する応答を前記錠付き戸棚が備えている表示と音声出力機能を介して、または前記移動体通信端末の表示と音声出力機能を介して文字，画像または音声で行うことを特徴とする請求項１ないし請求項３のいずれかに記載のロッカー管理システム。
【発明の詳細な説明】
【０００１】
【発明の属する技術分野】
本発明は、駅舎やコンビニ店などに設置された電磁錠付き戸棚をネットワーク経由でサイバーベース上で管理するロッカー管理システム、特にロッカーの利用者への広告に関する。
【０００２】
【従来の技術】
従来、この種のロッカー管理システムは、ロッカーの管理運営を行うロッカー管理主体とロッカーの利用者が有する通信端末とをネットワークを介して接続して通信を行い、ロッカーボックスの解錠、施錠動作をロッカー管理主体の管理の下に行うようにし、かつロッカー管理主体が得たロッカー利用者の情報に基づいて、ロッカーに配置した広告媒体に載せる広告内容および広告タイミングを決定するようにしている（例えば、特許文献１参照）。
【０００３】
【特許文献１】
特願２００１−０４３５２９
【０００４】
【発明が解決しようとする課題】
しかしながら、上述した従来技術では、広告はロッカーに配置した広告媒体に載せられるため、先ずはロッカーへの荷物等物品の出し入れに注力する利用者の関心を広告に寄せ付ける力が弱いという第１の問題点がある。
【０００５】
また、広告内容および広告タイミングを決定するのはロッカー管理主体であり、ロッカーの利用者は関心のない広告を見せられたり聞かされたりすることにもなるという第２の問題点がある。
【０００６】
そこで、本発明の主な目的は、錠付き戸棚がネットワークを通して作動する特性を活かして高効率の広告宣伝機能を発揮するロッカー管理システムを提供することにある。
【０００７】
【課題を解決するための手段】
本発明の第１のロッカー管理システムは、それぞれが電磁錠（図１の１１）を備えた少なくとも一つの錠付き戸棚（図１の１０）を有する錠付き戸棚装置（図１の１）と、錠付き戸棚の施錠／解錠を錠管理通信手段（図１の４）経由で行う錠管理装置（図１の２）と、錠付き戸棚を利用する利用者が携帯する移動体通信端末（図１の３）と、錠管理装置と移動体通信端末との間の利用者通信手段（図１の５）とで構成され、錠管理装置は、移動体通信端末が発令する錠付き戸棚の施錠指令または解錠指令を利用者通信手段経由で受け付け、また、錠管理装置は、施錠指令または解錠指令を発令した移動体通信端末へ宣伝を目的とする文字，画像または音声の情報を利用者通信手段経由で送信し、該移動体通信端末が備えている表示と音声出力機能により該情報を表示または再生させることを特徴とする。
【０００８】
このような構成を採用することにより、広告は錠付き戸棚利用者の移動体通信端末に配信されることになるので、利用者の注意を集め易くなり、効率の良い広告を打てるようになる。
【０００９】
本発明の第２のロッカー管理システムは、それぞれが電磁錠（図６の１１）を備えた少なくとも一つの錠付き戸棚（図６の１０）を有する錠付き戸棚装置（図６の１）と、錠付き戸棚の施錠／解錠を錠管理通信手段（図６の４）経由で行う錠管理装置（図６の２）と、錠付き戸棚を利用する利用者が携帯する移動体通信端末（図６の３）と、錠付き戸棚装置と前記移動体通信端末との間の無線通信手段と、錠管理装置と移動体通信端末との間の利用者通信手段（図６の５）とで構成され、錠管理装置は、移動体通信端末が発令する錠付き戸棚の施錠指令または解錠指令を利用者通信手段経由で受け付け、また、錠管理装置は、施錠指令または解錠指令を発令した移動体通信端末へ宣伝を目的とする文字，画像または音声の情報を錠管理通信手段および無線通信手段経由で送信し、該移動体通信端末が備えている表示と音声出力機能により該情報を表示または再生させることを特徴とする。
【００１０】
このような構成を採用することにより、移動体通信端末への広告の配信は、使用対象となる錠付き戸棚の施錠または解錠に関する錠管理装置と移動体通信端末との間の通信の継続如何に関わらず行われるので、複数の錠付き戸棚装置を管理する錠管理装置２の負荷を軽減することができるようになる。
【００１１】
また、錠管理装置が、宣伝を目的とする文字，画像または音声の情報を施錠指令または解錠指令を発令した移動体通信端末へ送信するか否かの選択をその移動体通信端末が主導して行うようにしてもよい。
【００１２】
更に、錠管理装置は移動体通信端末から問合せがあると、この問合せに対する応答を錠付き戸棚が備えている表示と音声出力機能を介して、または移動体通信端末の表示と音声出力機能を介して文字，画像または音声で行うようにしてもよい。
【００１３】
【発明の実施の形態】
以下、本発明の実施の形態について図面を参照し説明する。
【００１４】
【第１の実施例の構成】
図１は本発明のロッカー管理システムの第１実施例を示すブロック図である。
【００１５】
図１を参照すると、このロッカー管理システムは、錠付き戸棚装置１，錠管理装置２および移動体通信端末３を備えており、錠付き戸棚装置１と錠管理装置２との間は錠管理通信手段４、移動体通信端末３と錠管理装置２との間は利用者通信手段５でそれぞれ接続されている。錠管理装置２には複数個の錠付き戸棚装置１を接続でき、また複数個の移動体通信端末３０が本ロッカー管理システムを使用できる。
【００１６】
錠付き戸棚装置１は、それぞれが電磁錠１１，音声出力部１２および表示部１３を備えた複数個の錠付き戸棚１０と、各錠付き戸棚１０に共通な表示部１４，１５と、ロッカー管理装置１６とから構成される。錠付き戸棚１０は、手荷物等を一時的に保管するためのロッカーボックスであり、電磁錠１１により電気的に開閉可能である。音声出力部１２は、宣伝を目的とする音声情報をロッカー管理装置１６から受け音声を再生する電気回路やスピーカ等であり、表示部１３は、宣伝を目的とする文字や画像の情報、または電気信号をロッカー管理装置１６から受信し表示するＬＣＤなどのディスプレイである。
【００１７】
音声出力部１２と表示部１３の取付け場所および個数は、錠付き戸棚１０の大きさ，設置場所，設置方向または宣伝のコンテンツ等が錠付き戸棚１０を施錠、または解錠する特定の個人を対象とするか、または錠付き戸棚１０の周囲にいる不特定の人を対象とするかなどによって決められる。
【００１８】
表示部１４，１５は、錠付き戸棚１０の扉の外側も含む錠付き戸棚１０の内側，前面，背面，側面や、錠付き戸棚１０に付加され、または錠付き戸棚１０の近辺に置かれたボード等の周囲から見易い位置に設けられる。
【００１９】
ロッカー管理装置１６は、錠管理通信手段４を介して送られてくる錠管理装置２からの制御指令によって、各錠付き戸棚１０の電磁錠１１の施錠、解錠操作を行い、また音声出力部１２と表示部１３〜１５に上述のような情報を送る。ロッカー管理装置１６は、図４に例示するように、プロセッサ４０，メモリ４１，通信インタフェース４２，入出力インタフェース４３，表示インタフェース４４およびメモリ４１に格納されたソフトウエアから構成される。
【００２０】
このソフトウエアは、通信インタフェース４２を介して錠管理装置２との間の通信を行う機能，入出力インタフェース４３を介して電磁錠１１へ施錠／解錠信号を送る機能、および表示インタフェース４４を介して表示部１３〜１５または音声出力部１２へ宣伝を目的とする文字，音声または画像のデータを送る機能を実行するように製作されている。
【００２１】
移動体通信端末３は、携帯電話，ＰＨＳ等の無線系加入者網による通信機能を有する携帯情報端末であり、図３に例示するように、プロセッサ３０，メモリ３１，表示部３２，無線送受信部３３，無線アンテナ３４，キーボード３５，音声入出力部３６，スピーカ３７，マイクロフォン３８およびメモリ３１に格納されたソフトウエアから構成されている。
【００２２】
利用者通信手段５は、一例として、移動体通信端末３から無線系加入者網で通信事業者の基地局へ接続し、さらに、専用回線，公衆回線，移動体通信等を利用して錠管理装置２と通信する方法で実現できる。
【００２３】
錠管理装置２は移動体通信端末３から出される施錠指令または解錠指令を受け付け、錠管理通信手段４を通して錠付き戸棚装置１のロッカー管理装置１６に対し電磁錠１１の施錠／解錠を指令する。錠管理装置２は、図２に例示するように、プロセッサ２０，メモリ２１，通信インタフェース２２，通信インタフェース２３およびメモリ２１に格納されたソフトウエアから構成される。
【００２４】
このソフトウエアは通信インタフェース２２を介して錠付き戸棚装置１のロッカー管理装置１６との間の通信を行う機能および錠管理通信手段４を通して錠付き戸棚１０のロッカー管理装置１６に対し電磁錠１１の施錠／解錠を指令し、また、ロッカー管理装置１６へ宣伝を目的とする文字、音声、または、画像のデータを送る機能を実行するように制作されている。
【００２５】
錠管理通信手段４は有線／無線通信のいずれも使用できるが、錠管理装置２と錠付き戸棚装置１のロッカー管理装置１６の通信制御ソフトウエアと連携し高度なセキュリティを保てる方式を使用する。
【００２６】
【第１の実施例の動作】
次に、上述のように構成された第１実施例の動作について説明する。
【００２７】
ロッカーの利用者は、錠付き戸棚装置１の内の使用対象となる錠付き戸棚１０に物品（商品や荷物）を入れ施錠する場合は、携帯する移動体通信端末３から施錠を行うための施錠指令を錠管理装置２へ送信する。錠管理装置２は受け付けた施錠指令に基づき、錠管理通信手段４を介して錠付き戸棚装置１のロッカー管理装置１６に対し電磁錠１１の施錠を指令する。錠管理装置２が複数の施錠指令を受け付けている場合には、対応する電磁錠１１それぞれに施錠を指令する。ロッカー管理装置１６は受信した指令に基づき電磁錠１１へ施錠信号を送り施錠させる。
【００２８】
ロッカーの利用者は、錠付き戸棚装置１の内の使用対象となる錠付き戸棚１０から物品を取り出すために解錠する場合は、携帯する移動体通信端末３から解錠指令を錠管理装置２へ送信する。錠管理装置２は受け付けた解錠指令に基づき、錠管理通信手段４を介して錠付き戸棚装置１のロッカー管理装置１６に対し電磁錠１１の解錠を指令する。錠管理装置２が受け付けた複数の解錠指令を受け付けている場合には、対応する電磁錠１１それぞれに解錠を指令する。ロッカー管理装置１６は受信した指令に基づき電磁錠１１へ解錠信号を送り解錠させる。
【００２９】
錠付き戸棚１０の表示部１３〜１５または音声出力部１２への文字，音声または画像の情報は、ロッカー管理装置１６が表示インタフェース４４を介して表示部１３〜１５または音声出力部１６へ電気信号を送信して行う。表示する文字，音声または画像はロッカー管理装置１６が錠管理装置２からの指令や、ロッカー管理装置１６のソフトウエアにより選択する。表示部１３が複数個ある場合は、ロッカー管理装置１６は表示部１３または音声出力部１２ごとに異なる文字，音声または画像の情報を送信し、表示部１３または音声出力部１２ごとに異なるコンテンツを出力ができる。また、扉の内側に取り付けられた表示部１３または音声出力部１２への出力は、預け入れた物品を出し入れするための施錠／解錠の発生時に扉が開かれている間だけ行うようにロッカー管理装置１６のソフトウエアが制御する。
【００３０】
なお、錠管理装置２が錠付き戸棚１０へ送信する宣伝を目的とする文字，音声または画像の情報は、錠管理装置２が生成してもよく、また錠管理装置２が通信を介し他の装置から受け取るようにしてもよい。また、ロッカー管理装置１６自体が文字，音声または画像の情報を生成するようにしてもよい。
【００３１】
また、錠管理装置２は錠付き戸棚１０への宣伝を目的とする文字，音声または画像の情報の送信を、錠付き戸棚１０と通信可能にした他の装置に代行させてもよい。また、錠付き戸棚１０の表示部１３または音声出力部１２に流すコンテンツは、使用対象となる錠付き戸棚１０に対する物品の出し入れの施錠／解錠時には、錠付き戸棚１０の利用に関するガイダンス画面に切り替えるようにしてもよい。また、表示する画像は、静止画のみならず、動画や映像を含めてもよい。
【００３２】
錠管理装置２は、使用対象となる錠付き戸棚１０の施錠または解錠が発生すると、例えば、施錠指令または解錠指令を発令した移動体通信端末３の契約者に関して蓄積されている顧客情報があれば、その情報を利用者通信手段５経由で施錠指令または解錠指令を発令した移動体通信端末３へ送信する。
【００３３】
また、錠管理装置２は、使用対象となる錠付き戸棚１０に収容された物品に関して蓄積されている情報があれば、その情報から関連する商品などの情報を利用者通信手段５経由で施錠指令または解錠指令を発令した移動体通信端末３へ送信する。
【００３４】
また、錠管理装置２は、移動体通信端末３の契約者の錠付き戸棚１０に対する過去の利用実績の情報が蓄積されており、その利用傾向の情報があればその情報を調べ、移動体通信端末３の契約者の年齢，購買傾向などに最適な宣伝を目的とする情報を選択し、利用者通信手段５経由で施錠指令または解錠指令を発令した移動体通信端末３へ送信する。宣伝を目的とする情報は文字，静止画，動画，映像または音声を使用して構成できる。なお、これらの情報を移動体通信端末３へ送信する時期は、施錠指令または解錠指令の発令時に限定されず、繰り返しによる宣伝効果の向上を狙って適時送信するようにしてもよい。
【００３５】
上述のような情報を受信した移動体通信端末３は、内蔵するソフトウエアにより、その情報を表示部３２に表示させる。図５（Ａ）はＰＤＡ型の移動体通信端末３に表示させた例であり、図５（Ｂ）は携帯電話型の移動体通信端末３に表示させた例である。
【００３６】
【第２の実施例】
次に、本発明の第２の実施例について説明する。図６は第２の実施例の構成例を示すブロック図である。
【００３７】
図６を参照すると、このロッカー管理システムは、図１におけるロッカー管理装置１６に代わって、移動体通信端末３との間で無線通信を可能とするロッカー管理装置１７を備えている。ロッカー管理装置１７は、図７に例示するように、図４に示した構成図に無線送受信部４５と無線アンテナ４６が追加されている。なお、メモリ４１が格納しているソフトウエアも、無線送受信部４５を制御し移動体通信端末３との間の無線通信を可能とするようになっている。なお、ロッカー管理装置１７と移動体通信端末３との間の無線通信にはＢｌｕｅｔｏｏｔｈや小電力無線などを使用できる。
【００３８】
この実施例においても、電磁錠１１の施錠と解錠については、図１に示した第１実施例における動作と異なるところが無い。また、ロッカー管理装置１７が表示インタフェース４４を介して錠付き戸棚１０の表示部１３〜１５または音声出力部１２へ文字，音声または画像の情報を送信するのも同様である。
【００３９】
第１実施例においては、施錠指令または解錠指令を発令した移動体通信端末３の契約者に関して蓄積されている顧客情報があれば、錠管理装置２は、その情報を利用者通信手段５経由で施錠指令または解錠指令を発令した移動体通信端末３へ送信する。使用対象となる錠付き戸棚１０に収容された物品に関して蓄積されている情報がある場合に、その情報から関連する商品などの情報を送信する場合や、移動体通信端末３の契約者の錠付き戸棚１０に対する過去の利用実績の情報が蓄積されており、その利用傾向の情報があればその情報を調べ、移動体通信端末３の契約者の年齢，購買傾向などに最適な宣伝を目的とする情報を選択して送信する場合も同様である。
【００４０】
これに対して、本実施例では、錠管理装置２は、上述の顧客情報，錠付き戸棚１０に収容された物品関連の情報または過去の利用実績に基づく最適な宣伝を目的とする情報を、錠管理通信手段４を通してロッカー管理装置１７へ送信し、ロッカー管理装置１７が無線送受信部４５を通して移動体通信端末３へ送信する。つまり、送信のルートが異なるのである。
【００４１】
また、この移動体通信端末３への送信は、使用対象となる錠付き戸棚１０の施錠または解錠に関する錠管理装置２と移動体通信端末３との間の通信の継続如何に関わらず行われる。これによって、複数の錠付き戸棚装置１を管理する錠管理装置２の負荷を軽減することができる。
【００４２】
また、ロッカー管理装置１７は、移動体通信端末３が使用対象となる錠付き戸棚１０の施錠または解錠指令を発令する／しないに関わらず、錠付き戸棚装置１の近辺に存在する移動体通信端末３を無線通信で呼び出し、呼出しに応答し通信接続を確立できた移動体通信端末３に対して、宣伝を目的とする情報を送信する。錠付き戸棚装置１の近辺に移動体通信端末３が複数個存在し、それらがロッカー管理装置１７からの呼出しに応答し通信接続を確立した場合は、ロッカー管理装置１７は無線通信の通信方式に従い順次、移動体通信端末３への宣伝を目的とする情報を送信する。
【００４３】
また、ロッカー管理装置１７は、移動体通信端末３と無線通信による通信接続を確立したとき、送信相手の移動体通信端末３に対する契約者の特性を区別せずに、宣伝を目的とする情報を送信できる。また、通信接続を確立した際に、移動体通信端末３から移動体通信の電話番号などの固有情報を取得し、該固有情報をもとに移動体通信端末３の契約者の顧客情報を錠管理装置２へ照会し、照会した情報に基づき最適な宣伝を目的とする情報を選択し、その移動体通信端末３へ送信することもできる。
【００４４】
情報を受信した移動体通信端末３は内蔵するソフトウエアで該情報を表示部に表示させる。この表示は、図５に示したのと同様に行うことができる。
【００４５】
【他の実施例】
次に、本発明の第３実施例について説明する。第３実施例の基本的な構成は第１実施例または第２実施例と同様である。
【００４６】
この実施例では、錠管理装置２またはロッカー管理装置１６，１７に錠付き戸棚装置１の顧客情報をデータベースとして蓄積する。移動体通信端末３は、錠管理装置２またはロッカー管理装置１６，１７へ、前述の宣伝を目的とする文字，画像または音声を受信するか否かの指定、また、どの分野の宣伝を受信するかの指定を送信する。錠管理装置２またはロッカー管理装置１６，１７は該指定を上述のデータベースに記録する。錠管理装置２またはロッカー管理装置１６，１７は、この記録に基づき移動体通信端末３に対して宣伝を目的とする文字，画像または音声の送信を行う。
【００４７】
次に、本発明の第４実施例について説明する。第４実施例の基本的な構成も第１実施例または第２実施例と同様であり、錠付き戸棚装置１を利用する上での操作手順等のガイダンスに関わるものである。
【００４８】
この実施例では、錠付き戸棚装置１の利用者が錠付き戸棚装置１の施錠，解錠等の操作を開始したとき、錠管理装置２または錠付き戸棚装置１は、錠付き戸棚装置１または移動体通信端末３の宣伝を目的とする文字，音声または画像の表示または出力機能を利用して、操作の仕方を順次、文字，音声または画像等を用いてガイダンスし、利用者は該ガイダンスに従って操作を行うことができる。
【００４９】
また、このようなガイダンスは、錠付き戸棚装置１の利用者が、例えば、移動体通信端末３から利用者通信手段５を通して錠管理装置２へ、または移動体通信端末３から無線送受信部３３を通して錠付き戸棚装置１へ要求できる。
【００５０】
また、上述のガイダンスと広告のコンテンツとを組み合わせれば、錠付き戸棚装置１または移動体通信端末３に宣伝を目的とする文字，音声または画像を表示または音声出力させることにより、利用者は錠付き戸棚装置１の利用のガイダンスを受けながら、宣伝のコンテンツも受けることができる。この結果、利用者にとっては操作の容易化のメリット、錠付き戸棚装置１の事業者にとっては集客効果、また広告主にとっては利用者の耳目をより引き付ける効果が期待できるようになる。
【００５１】
本実施例の説明では、移動体通信端末３からの問合せとして、錠付き戸棚装置１を利用する上での操作手順のガイダンスを例示したが、その他、利用者が、錠付き戸棚装置１を利用する際に料金の問合せを行ったり、錠付き戸棚装置１の設置場所の問合せを行ったり、また錠付き戸棚装置１の利用に関する苦情の申入れを行う場合などにも応答手段として利用可能である。
【００５２】
以上、本発明の実施例について説明したが、錠管理装置２とロッカー管理装置１６，１７との機能分担は、上述の説明における分担に限定されない。また、ロッカー管理装置１６，１７の設置位置は、錠付き戸棚装置１の内部に限定されない。また、各装置の機能は他の装置に代行させてもよい。
【００５３】
【発明の効果】
以上説明したように、本発明は、ネットワークを通してサイバーベース上で錠を管理する錠付き戸棚利用者の移動体通信端末へ広告コンテンツを配信する構成としたため、高効率で付加価値を持たせるた広告を打てるという第１の効果を得ることができる。
【００５４】
また、錠付き戸棚利用者が広告コンテンツの配信を自動的に管理可能になるので、利用者は関心のある広告だけに接することができるようになるという第２の効果がある。
【００５５】
更に、移動体通信端末への広告の配信は、使用対象となる錠付き戸棚の施錠または解錠に関する錠管理装置と移動体通信端末との間の通信の継続如何に関わらず行われるので、複数の錠付き戸棚装置を管理する錠管理装置の負荷を軽減することができるようになるという第３の効果がある。
【図面の簡単な説明】
【図１】本発明によるロッカー管理システムの第１実施例の構成例を示すブロック図
【図２】図１における錠管理装置２の構成例を示すブロック図
【図３】図１における移動体通信端末３の構成例を示すブロック図
【図４】図１におけるロッカー管理装置１６の構成例を示す図
【図５】移動体通信端末３が受信した情報を表示部に表示した様子を示す図
【図６】本発明によるロッカー管理システムの第２実施例の構成例を示すブロック図
【図７】図６におけるロッカー管理装置１７の構成例を示す図
【符号の説明】
１　　　　錠付き戸棚装置
２　　　　錠管理装置
３　　　　移動体通信端末
４　　　　錠管理通信手段
５　　　　利用者通信手段
１０　　　錠付き戸棚
１１　　　電磁錠
１２　　　音声出力部
１３　　　表示部
１４　　　表示部
１５　　　表示部
１６　　　ロッカー管理装置
２０　　　プロセッサ
２１　　　メモリ
２２　　　通信インタフェース
２３　　　通信インタフェース
３０　　　プロセッサ
３１　　　メモリ
３２　　　表示部
３３　　　無線送受信部
３４　　　無線アンテナ
３５　　　キーボード
３６　　　音声入出力部
３７　　　スピーカ
３８　　　マイクロフォン
４０　　　プロセッサ
４１　　　メモリ
４２　　　通信インタフェース
４３　　　入出力インタフェース
４４　　　表示インタフェース
４５　　　無線送受信部
４６　　　無線アンテナ
【図１】
2004118766.tif 000003
【図２】
2004118766.tif 000004
【図３】
2004118766.tif 000005
【図４】
2004118766.tif 000006
【図５】
2004118766.tif 000007
【図６】
2004118766.tif 000008
【図７】
2004118766.tif 000009